(57)【要約】【課題】指の動きに応じて光源の点灯パターンを変える照明装置を提供する。【解決手段】照明装置１０は、指１００の接近を検出する複数の検出手段６０と、一方の検出手段６０と他方の検出手段６０が指１００の接近をそれぞれ検出する時間差に基づき、指１００が移動した軌跡を認識する移動方向認識手段７２と、指１００の移動パターンに関連付けた光源の点灯情報を記憶する移動パターン記憶手段７６と、移動パターン記憶手段７６に記憶された点灯情報の中から、移動方向認識手段７２が認識した軌跡と類似する移動パターンに応じて点灯情報を決定する操作決定手段７４と、決定した点灯情報に基づき、光源の点灯を制御する発光御手段７８と、を備える。【選択図】図３
2010205585.tif 000002
【特許請求の範囲】
【請求項１】
光を発する発光手段と、
物体の接近を検出する複数の検出手段と、
一方の前記検出手段と他方の前記検出手段が前記物体の接近をそれぞれ検出する時間差に基づき、前記物体が移動した軌跡を認識する移動方向認識手段と、
前記物体の移動パターンに関連付けた前記発光手段の発光指示を記憶する移動パターン記憶手段と、
前記移動方向認識手段が認識した前記軌跡と類似する前記移動パターンに基づき前記発光指示を決定する操作決定手段と、
決定した前記発光指示に応じて前記発光手段の発光を制御する発光制御手段と、を備えることを特徴とする照明装置。
【発明の詳細な説明】
【技術分野】
【０００１】
本発明は、照明装置に関する。
【背景技術】
【０００２】
人物の指が接近することにより変化する静電容量を検出し、光源を点灯させる照明装置として、下記特許文献１に示すような照明装置が知られている。
【先行技術文献】
【特許文献】
【０００３】
【特許文献１】特開２００６−１１９０９３号公報
【発明の概要】
【発明が解決しようとする課題】
【０００４】
しかしながら、従来の照明装置は、人物の指の動きに合わせえて光源を点灯や消灯させるだけであり、指の動きに応じて光源の点灯パターンを変えることはできなかった。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる照明装置は、光を発する発光手段と、物体の接近を検出する複数の検出手段と、一方の前記検出手段と他方の前記検出手段が前記物体の接近をそれぞれ検出する時間差に基づき、前記物体が移動した軌跡を認識する移動方向認識手段と、前記物体の移動パターンに関連付けた前記発光手段の発光指示を記憶する移動パターン記憶手段と、前記移動方向認識手段が認識した前記軌跡と類似する前記移動パターンに基づき前記発光指示を決定する操作決定手段と、決定した前記発光指示に応じて前記発光手段の発光を制御する発光制御手段と、を備えることを特徴とする。
【０００７】
このような構成によれば、物体の接近を複数の検出手段のそれぞれが検出する時間差に基づき、物体が移動した軌跡を認識し、認識した軌跡に似た移動パターンに基づき発光指示を決定し、決定した発光指示に基づいて発光手段の点灯が制御される。従って、人物の指等の物体の動きに応じて発光手段の発光様態を変えることができる。
【図面の簡単な説明】
【０００８】
【図１】本発明の実施形態に係る照明装置の外観図。
【図２】本発明の実施形態に係る照明装置のハードウェア構成を示す図。
【図３】本発明の実施形態に係る照明装置の機能構成を示す図。
【図４】指の動きと検出信号の関係を示す図。
【発明を実施するための形態】
【０００９】
以下、照明装置について図面を参照して説明する。
【００１０】
（実施形態）
図１は、照明装置１０の外観図である。この照明装置１０は箱状の様態であり、上面１５には、４つの近接センサー５０Ａ〜５０Ｄが設置されている。これら近接センサー５０Ａ〜５０Ｄは、透明電極上に形成されても良い。また、側面部２０Ａ〜２０Ｄは拡散板で構成され、拡散板は照明装置１０の内部の設置されたＬＥＤ（Ｌｉｇｈｔ  Ｅｍｉｔｔｉｎｇ  Ｄｉｏｄｅ）４０が発する光を拡散して外部に放射する。この照明装置１０は、４つの近接センサー５０Ａ〜５０Ｄにより人物等の指１００の接近をそれぞれ検出し、検出した指１００の動きに応じてＬＥＤ４０が作動するように構成されている。また、この照明装置１０には、電源供給装置１２から電磁誘導により電源が非接触に供給される。
【００１１】
図２は、照明装置１０のハードウェア構成を示す図である。この照明装置１０は、制御プログラムに基づいて演算および装置全体を制御するＣＰＵ（Ｃｅｎｔｒａｌ  Ｐｒｏｃｅｓｓｉｎｇ  Ｕｎｉｔ）３０と、所定領域にあらかじめＣＰＵ３０の制御プログラム等を格納しているＲＯＭ（Ｒｅａｄ  Ｏｎｌｙ  Ｍｅｍｏｒｙ）３２と、ＲＯＭ３２等から読み出したデータやＣＰＵ３０の演算過程で必要な演算結果を格納するためのＲＡＭ（Ｒａｎｄｏｍ  Ａｃｃｅｓｓ  Ｍｅｍｏｒｙ）３４と、情報を表示させるためのプログラムや各種のデータ等を格納しているＳＳＤ（Ｓｏｌｉｄ  Ｓｔａｔｅ  Ｄｒｉｖｅ）３６と、外部デバイスに対してデータの入出力を媒介するＩ／Ｆ２５とで構成されている。これらは、データを転送するための信号線であるバス３８により、相互にデータが授受可能であるように接続されている。
また、Ｉ／Ｆ２５には、指１００の接近を検出する近接センサー５０Ａ〜５０Ｄと、所定の波長の光を発するＬＥＤ４０Ａ〜４０Ｄとが接続されている。尚、近接センサー５０やＬＥＤ４０の個数は限定されるものでは無い。また、光源はＬＥＤ４０に限定するものでは無く、どのような光源でも良い。また、複数の光源が発する光の波長は、全て同一であっても良く、それぞれ異なっても良い。また、近接センサー５０の検出方法は限定されるものでは無く、磁界、電界、電磁波および超音波等で対象物の接近を検出しても良い。また、検出する方法に依っては、これらの近接センサー５０の近傍に接地電極を設けても良い。
【００１２】
図３は、照明装置１０の機能構成を示す図である。この照明装置１０は、検出手段１（６０Ａ），検出手段２（６０Ｂ），検出手段３（６０Ｃ），検出手段４（６０Ｄ）と、制御手段７０と、発光手段１（８０Ａ），発光手段２（８０Ｂ），発光手段３（８０Ｃ），発光手段４（８０Ｄ）と、電源入力手段１６とを備える。ここで、検出手段１（６０Ａ）、検出手段２（６０Ｂ）、検出手段３（６０Ｃ）および検出手段４（６０Ｄ）は、各近接センサー５０Ａ〜５０Ｄに対応する。また、発光手段１（８０Ａ）、発光手段２（８０Ｂ）、発光手段３（８０Ｃ）および発光手段４（８０Ｄ）は、各ＬＥＤ４０Ａ〜４０Ｄに対応する。また、制御手段７０は、それぞれの検出手段６０が指１００を検出する時間的な順序に応じて、発光手段８０のそれぞれの発光を制御する機能を有する。この制御手段７０は、移動方向認識手段７２と、操作決定手段７４と、移動パターン記憶手段７６と、発光制御手段７８とを備える。これらの機能手段は、上述したハードウェアとソフトウェアとが協働することにより、それぞれの機能を実現している。
移動方向認識手段７２は、検出手段１（６０Ａ）、検出手段２（６０Ｂ）、検出手段３（６０Ｃ）および検出手段４（６０Ｄ）が指１００の検出信号をそれぞれ出力する時間差に基づき、指１００が移動した軌跡を認識する。
【００１３】
ここで、図４を参照して詳細に説明する。図４（ａ）は、照明装置１０の上面１５を指１００が時計方向に○印を書くように移動した場合の軌跡１０５と、その場合における各近接センサー５０の出力信号を示す。この場合、近接センサー１（５０Ａ）、近接センサー２（５０Ｂ）、近接センサー３（５０Ｃ）および近接センサー４（５０Ｄ）の順序で検出信号が出力されるため、移動方向認識手段７２は、指１００が時計方向に動いたことを認識できる。また、図４（ｂ）は、照明装置１０の上面１５を指１００が×印を書くように移動した場合の軌跡１０５Ａ，１０５Ｂと、その場合における各近接センサー５０の出力信号を示す。この場合、近接センサー１（５０Ａ）、近接センサー３（５０Ｃ）、近接センサー２（５０Ｂ）および近接センサー４（５０Ｄ）の順序で検出信号を出力しているため、移動方向認識手段７２は、指１００が左右の側から交わるように動いたことを認識する。図３に戻り、移動方向認識手段７２が認識した指１００の軌跡１０５に関する情報は、操作決定手段７４に送られる。
【００１４】
移動パターン記憶手段７６は、指１００の移動パターンに関連付けた発光手段８０の発光指示に関する情報が予め記憶されている。例えば、指１００が○印を書くように動いた場合は、全てのＬＥＤ４０を点灯させ、指１００が×印を書くように動いた場合は、全てのＬＥＤ４０を消灯させる。また、指１００が移動した軌跡１０５に加え、移動した速度に応じてＬＥＤ４０の点灯パターンや表示色を変えても良い。操作決定手段７４は、移動パターン記憶手段７６に記憶された指１００の移動パターンの中から、移動方向認識手段７２から送られる指１００の軌跡１０５に類似する指１００の移動パターンを取得し、取得した移動パターンに応じた発光手段８０の発行指示に関する情報に基づいて、発光手段８０の発光操作を決定し、発光制御手段７８に発光を指示する。
発光制御手段７８は、操作決定手段７４が決定した発光指示に基づき、発光手段１（８０Ａ）、発光手段２（８０Ｂ）、発光手段３（８０Ｃ）および発光手段４（８０Ｄ）の点灯を制御する。また、電源入力手段１６は、電源供給手段１４から非接触に給電され、各ハードウェアに供給される。
【００１５】
上述した構成により、操作ボタンを操作することなく、指１００等の移動に応じて照明の色や照度が制御できる。このような照明装置１０は、寝室のサイドランプとして好適であり、就寝時に操作ボタン等の煩わしい操作をすることなく、寝室の照明を調整できる。
本発明の実施形態について、図面を参照して説明したが、具体的な構成は、この実施形態に限られるものではなく、本発明の要旨を逸脱しない範囲の設計変更等も含まれる。例えば、ＬＥＤ４０による照明に限定されず、簡易プロジェクターのように映像や影絵等を照明装置１０の側面部２０に投射しても良い。また、睡眠を促進するような音楽や香り等を照明に合わせて流しても良い。また、電源供給装置１２から供給された電源を保持する蓄電手段を備え、就寝時に寝室等に移動して使用するような様態でも良い。更に、タイマー機能を備え、人物が消灯操作を忘れた場合でも、時間の経過と共に、漸次照明の照度を下げるように構成しても良い。
【符号の説明】
【００１６】
１０…照明装置、１２…電源供給装置、１４…電源供給手段、１５…上面、１６…電源入力手段、２０，２０Ａ〜２０Ｄ…側面部、２５…Ｉ／Ｆ、３０…ＣＰＵ、３２…ＲＯＭ、３４…のＲＡＭ、３６…ＳＳＤ、３８…バス、４０，４０Ａ〜４０Ｄ…ＬＥＤ、５０，５０Ａ〜５０Ｄ…近接センサー、６０，６０Ａ〜６０Ｄ…検出手段、７０…制御手段、７２…移動方向認識手段、７４…操作決定手段、７６…移動パターン記憶手段、７８…発光制御手段、８０，８０Ａ〜８０Ｄ…発光手段、１００…指、１０５，１０５Ａ，１０５Ｂ…軌跡。
【図１】
2010205585.tif 000003
【図２】
2010205585.tif 000004
【図３】
2010205585.tif 000005
【図４】
2010205585.tif 000006